(57)【要約】【課題】入力する画像信号が短時間で途切れてしまう場合、安定して動作するプロジェクターを提供する。【解決手段】プロジェクター１０は、画像信号を入力するための画像入力部１０２と、光束を射出する光源部１５４と、光束を画像信号に応じて変調して画像光を生成する光変調装置１５６と、画像光を投写する投写光学系１５８と、画像入力部１０２への画像信号の入力を検出する画像信号検出部１０８と、ユーザーによる操作を受け付ける操作部１１０と、画像信号が画像入力部１０２に入力しない第１状態から入力部１０２に入力する第２状態への遷移を画像信号検出部１０８が検出した場合、画像光を生成して投写するための投写準備を指示すると共に、所定時間の計測を開始し、所定時間に亘り第２状態が継続した場合、画像光の投写を開始させる制御部１３０と、を備える。【選択図】図１
2015230428.tif 000002
【特許請求の範囲】
【請求項１】
画像信号を入力するための入力部と、
光束を射出する光源部と、
前記光束を前記画像信号に応じて変調して画像光を生成する変調部と、
前記画像光を投写する投写部と、
前記入力部への前記画像信号の入力を検出する検出部と、
ユーザーによる操作を受け付ける操作部と、
前記画像信号が前記入力部に入力しない第１状態から前記入力部に入力する第２状態への遷移を前記検出部が検出した場合、前記画像光を生成して投写するための投写準備を指示すると共に、所定時間の計測を開始し、前記所定時間に亘り前記第２状態が継続した場合、前記画像光の投写を開始させる制御部と、を備えることを特徴とするプロジェクター。
【請求項２】
請求項１に記載のプロジェクターにおいて、
前記画像信号の入力に関するエラー情報を記憶する記憶部を備え、
前記制御部は、前記所定時間を計測中に、前記検出部が前記第２状態から前記第１状態への遷移を検出した場合、前記画像信号の入力が遮断されたことを示す前記エラー情報を前記記憶部に記憶することを特徴とするプロジェクター。
【請求項３】
請求項２に記載のプロジェクターにおいて、
前記記憶部に前記エラー情報が記憶された場合、前記制御部は、前記所定時間の計測が終了した後、前記エラー情報を表示することを特徴とするプロジェクター。
【請求項４】
請求項３に記載のプロジェクターにおいて、
前記制御部は、前記エラー情報を表示後、第２所定時間以内に前記操作部が所定の第１確認操作を受け付けた場合、前記画像光の投写を開始させ、前記第２所定時間以内に前記操作部が前記第１確認操作を受け付けなかった場合、前記画像光の投写を開始させないことを特徴とするプロジェクター。
【請求項５】
請求項１乃至４のいずれか１項に記載のプロジェクターにおいて、
前記制御部は、前記画像光の投写を開始させた場合、第３所定時間の計測を開始し、前記第３所定時間の計測中に前記画像信号が前記第２状態から前記第１状態に遷移した場合、第２エラー情報を表示することを特徴とするプロジェクター。
【請求項６】
請求項５に記載のプロジェクターにおいて、
前記制御部は、前記第２エラー情報を表示後、第４所定時間以内に前記操作部が第２確認操作を受け付けた場合、前記画像光の投写を継続させ、前記第４所定時間以内に前記操作部が前記第２確認操作を受け付けなかった場合、前記画像光の投写を終了させることを特徴とするプロジェクター。
【請求項７】
画像信号を入力するための入力部と、光束を射出する光源部と、前記光束を前記画像信号に応じて変調して画像光を生成する変調部と、前記画像光を投写する投写部と、を備えるプロジェクターの制御方法であって、
前記画像信号が前記入力部に入力しない第１状態から前記入力部に入力する第２状態への遷移を検出する検出工程と、前記遷移を検出した場合、前記画像光を生成して投写するための投写準備を行う準備工程と、前記遷移を検出した場合、所定時間の計測を開始し、前記所定時間に亘り前記第２状態が継続するか、否かを判定する判定工程と、前記判定工程で前記第２状態の継続を判定した場合、前記画像光の投写を開始させる投写開始工程と、を有することを特徴とするプロジェクターの制御方法。
【発明の詳細な説明】
【技術分野】
【０００１】
本発明は、プロジェクターおよびプロジェクターの制御方法に関する。
【背景技術】
【０００２】
ランプ等の高輝度な光源から射出された光を、入力した画像信号に応じて光変調装置で変調し、この変調光をスクリーン等に投写して画像信号に基づく画像を表示するプロジェクターが知られている。
このようなプロジェクターでは、下記特許文献１に示すように、プロジェクターに画像信号が入力された場合、光源が点灯して画像をスクリーンに投写し、入力されていた画像信号が入力されなくなった場合、光源を消灯する機能が具備されている。
また、下記特許文献２に示すプロジェクターでは、入力された画像信号に基づいて画像を投写中に画像信号が入力されなくなって光源を消灯した後、画像信号の入力が再開された場合、光源を再点灯する機能が具備されている。
【０００３】
ところで、このようなプロジェクターは、コンピューターや映像プレーヤーのような外部の機器との間で有線や無線を介して接続することで、コンピューターで生成された画像や、映像プレーヤーで再生されたコンテンツ画像等をスクリーンに拡大して投写することが可能である。プロジェクターと外部の機器は、例えば有線接続の場合、外部の機器が有する出力端子と、プロジェクターが有する入力端子と、を適切なインターフェイスケーブルで接続する必要がある。
このように外部の機器と接続する際に、各端子間の接続状態が良好でない場合や、無線接続する電波状態が良好でない場合、あるいは外部の機器に不具合が生じた場合、外部の機器から入力する画像信号が途切れたり、プロジェクターに入力したノイズを画像信号と誤認識したりする現象が発生した。
【先行技術文献】
【特許文献】
【０００４】
【特許文献１】特開２００１−１３３８８０号公報
【特許文献２】特開２００３−３３０１１５号公報
【発明の概要】
【発明が解決しようとする課題】
【０００５】
しかしながら、従来のプロジェクターでは、画像信号の途切れやノイズにより画像信号の入力が短時間で断続した場合であっても、予め決められた手順に従い、光源の消灯処理や点灯処理が短時間の間で実行されるため、プロジェクターの動作が不安定な状態になった。また、消灯した光源を点灯させて投写を開始する場合、投写する画像の補正処理やプロジェクターの設定処理が必要であり、実際に投写が開始されるまでに待ち時間を要した。
本発明は、上述の課題に鑑みてなされたものであり、入力する画像信号が短時間で途切れてしまう場合、プロジェクターを安定して動作させることを目的とする。
【課題を解決するための手段】
【０００６】
本発明は、上述の課題の少なくとも一部を解決するためになされたものであり、以下の形態又は適用例として実現することが可能である。
【０００７】
［適用例１］
本適用例にかかるプロジェクターは、画像信号を入力するための入力部と、光束を射出する光源部と、前記光束を前記画像信号に応じて変調して画像光を生成する変調部と、前記画像光を投写する投写部と、前記入力部への前記画像信号の入力を検出する検出部と、ユーザーによる操作を受け付ける操作部と、前記画像信号が前記入力部に入力しない第１状態から前記入力部に入力する第２状態への遷移を前記検出部が検出した場合、前記画像光を生成して投写するための投写準備を指示すると共に、所定時間の計測を開始し、前記所定時間に亘り前記第２状態が継続した場合、前記画像光の投写を開始させる制御部と、を備えることを特徴とする。
【０００８】
このような構成によれば、検出部が画像信号の入力を検出し、画像信号が入力部に入力しない第１状態から入力部に入力する第２状態へ遷移した場合、制御部は画像光を生成して投写するための投写準備を指示すると共に、所定時間の計測を開始し、所定時間に亘り第２状態が継続した場合、画像光の投写を開始させる。従って、画像信号が途切れることなく入力されることを確認して投写を開始するため、安定した投写が可能になることに加え、画像信号の入力開始を契機として投写準備を指示するため、投写を迅速に開始できる。
【０００９】
［適用例２］
上記適用例にかかるプロジェクターにおいて、前記画像信号の入力に関するエラー情報を記憶する記憶部を備え、前記制御部は、前記所定時間を計測中に、前記検出部が前記第２状態から前記第１状態への遷移を検出した場合、前記画像信号の入力が遮断されたことを示す前記エラー情報を前記記憶部に記憶することが好ましい。
【００１０】
このような構成によれば、所定時間を計測中に、画像信号が入力している状態から入力しない状態に遷移したことを確認した場合、エラー情報が記憶部に記憶されるため、記憶部に記憶したエラー情報を必要に応じて読み出すことができる。
【００１１】
［適用例３］
上記適用例にかかるプロジェクターにおいて、前記記憶部に前記エラー情報が記憶された場合、前記制御部は、前記所定時間の計測が終了した後、前記エラー情報を表示することが好ましい。
【００１２】
このような構成によれば、制御部はエラー情報が記憶されている場合、所定時間経過後に記憶されているエラー情報を表示するため、画像信号の入力に関するエラーの情報を通知できる。
【００１３】
［適用例４］
上記適用例にかかるプロジェクターにおいて、前記制御部は、前記エラー情報を表示後、第２所定時間以内に前記操作部が所定の第１確認操作を受け付けた場合、前記画像光の投写を開始させ、前記第２所定時間以内に前記操作部が前記第１確認操作を受け付けなかった場合、前記画像光の投写を開始させないことが好ましい。
【００１４】
このような構成によれば、通知したエラー情報に対してユーザーが第２所定時間以内に第１確認操作を操作部から操作した場合には投写を開始し、第２所定時間以内に操作しない場合には投写を開始しないため、検出部が画像信号を誤判定したような場合、制御部は画像光を投写させないことができる。
【００１５】
［適用例５］
上記適用例にかかるプロジェクターにおいて、前記制御部は、前記画像光の投写を開始させた場合、第３所定時間の計測を開始し、前記第３所定時間の計測中に前記画像信号が前記第２状態から前記第１状態に遷移した場合、第２エラー情報を表示することが好ましい。
【００１６】
このような構成によれば、投写を開始した後に第３所定時間が経過するまで、制御部は画像信号の入力を検出し、画像信号が入力している状態から入力していない状態に遷移したことを確認した場合、画像信号の入力に関するエラーの情報を通知できる。
【００１７】
［適用例６］
上記適用例にかかるプロジェクターにおいて、前記制御部は、前記第２エラー情報を表示後、第４所定時間以内に前記操作部が第２確認操作を受け付けた場合、前記画像光の投写を継続させ、前記第４所定時間以内に前記操作部が前記第２確認操作を受け付けなかった場合、前記画像光の投写を終了させることが好ましい。
【００１８】
このような構成によれば、通知したエラー情報に対してユーザーが第４所定時間以内に第２確認操作を操作部から操作した場合には投写を継続し、第４所定時間以内に操作しない場合には投写を終了させるため、画像信号が安定して入力しない場合、制御部は投写を終了させることができる。
【００１９】
［適用例７］
本適用例にかかるプロジェクターの制御方法は、画像信号を入力するための入力部と、光束を射出する光源部と、前記光束を前記画像信号に応じて変調して画像光を生成する変調部と、前記画像光を投写する投写部と、を備えるプロジェクターの制御方法であって、前記画像信号が前記入力部に入力しない第１状態から前記入力部に入力する第２状態への遷移を検出する検出工程と、前記遷移を検出した場合、前記画像光を生成して投写するための投写準備を行う準備工程と、前記遷移を検出した場合、所定時間の計測を開始し、前記所定時間に亘り前記第２状態が継続するか、否かを判定する判定工程と、前記判定工程で前記第２状態の継続を判定した場合、前記画像光の投写を開始させる投写開始工程と、を有することを特徴とする。
【００２０】
このような方法によれば、検出部が画像信号の入力を検出し、画像信号が入力部に入力しない第１状態から入力部に入力する第２状態へ遷移した場合、制御部は画像光を生成して投写するための投写準備を指示すると共に、所定時間の計測を開始し、所定時間に亘り第２状態が継続した場合、画像光の投写を開始させる。従って、画像信号が途切れることなく入力されることを確認して投写を開始するため、安定した投写が可能になることに加え、画像信号の入力開始を契機として投写準備を指示するため、投写を迅速に開始できる。
【図面の簡単な説明】
【００２１】
【図１】本発明の実施形態に係るプロジェクターの機能構成を示すブロック図。
【図２】オートパワーオンモード設定時における動作タイミングを説明する図。
【図３】オートパワーオンモードでのプロジェクターの処理の流れを示すフローチャート。
【図４】画像投写処理の詳細を説明するフローチャート。
【図５】警告メッセージの一例を示す図。
【発明を実施するための形態】
【００２２】
以下、本発明の実施形態について図面を参照して説明する。
【００２３】
（実施形態）
図１は、本実施形態に係るプロジェクター１０の機能構成を示すブロック図である。プロジェクター１０は、入力される画像データに基づいて画像光を生成し、生成した画像光をスクリーンＳＣに投写することにより、投写画像をスクリーンＳＣ上に表示する機能を備える。
プロジェクター１０は、光源を点灯し、画像の投写を行う通常状態（オン状態）と、光源を消灯し、消費電力を抑制して通常状態に移行するための操作を待機する待機状態（スタンバイ状態）のいずれかで動作する。プロジェクター１０にＡＣ電源が接続されると、スタンバイ状態に移行する。
尚、このプロジェクター１０は、オートパワーオンモードに設定できる態様を想定する。オートパワーオンモードとは、プロジェクター１０がスタンバイ状態において画像信号が入力されたことを検出した場合に、通常状態に移行し、画像の投写を開始するモードである。ユーザーの操作によりオートパワーオンモードが設定されると、プロジェクター１０はスタンバイ状態において画像入力部１０２に画像データが入力されることにより、自動的に画像の投写を開始する。
【００２４】
＜プロジェクターの構成＞
プロジェクター１０は、光学的な画像の形成を行う投写装置１５０と、この投写装置１５０に入力される画像信号を電気的に処理する画像処理系とを備える。本実施形態では、画像処理系は画像入力部１０２、画像処理部１０４、ＯＳＤ（Ｏｎ  Ｓｃｒｅｅｎ  Ｄｉｓｐｌａｙ）処理部１０６、光変調装置駆動部１５２および光源駆動部１１４を想定する。
【００２５】
また、プロジェクター１０は、タイマー１１６、記憶部１２０、制御部１３０、画像信号検出部１０８、操作部１１０、表示部１１１および電源部１１２を備える。タイマー１１６は、制御部１３０からの時間計測指示に基づいて、設定された時間の計測を行う。
記憶部１２０は、図示を略したＲＯＭ（Ｒｅａｄ  Ｏｎｌｙ  Ｍｅｍｏｒｙ）やフラッシュメモリー等を想定する。この記憶部１２０は、投写装置１５０で画像を投写するための投写設定情報１２２や、画像を投写中に生じた画像信号の断続等を示すエラー情報１２４を記憶できる。更に、記憶部１２０は、各機能部を駆動させるための制御プログラムや、ユーザーが呼び出したメニュー形式のユーザーインターフェイス画像や、ユーザーに対して告知するための警告メッセージ等を含むＯＳＤ画像を生成するためのＯＳＤデータを記憶できる。
【００２６】
制御部１３０は、図示を略したＣＰＵ（Ｃｅｎｔｒａｌ  Ｐｒｏｃｅｓｓｉｎｇ  Ｕｎｉｔ）やＲＡＭ（Ｒａｎｄｏｍ  Ａｃｃｅｓｓ  Ｍｅｍｏｒｙ）等を想定し、記憶部１２０が記憶する制御プログラムを読み出して実行することにより、プロジェクター１０の各機能部の動作を制御する。
この制御部１３０は、画像処理部１０４を制御する画像処理制御部１３２、ＯＳＤ処理部１０６を制御するＯＳＤ処理制御部１３４、光変調装置駆動部１５２を制御する光変調制御部１３６および光源駆動部１１４を制御する光源駆動制御部１３８を備える。
更に、この制御部１３０は、オートパワーオンモード設定時に所定の動作を制御する投写設定指示部１４０、光源点灯指示部１４２およびエラー情報管理部１４４を備える。
画像信号検出部１０８は、画像入力部１０２に入力される画像信号を検出し、画像信号の入力を示す情報を投写設定指示部１４０、光源点灯指示部１４２およびエラー情報管理部１４４に通知する。尚、画像信号検出部１０８は検出部に相当する。
操作部１１０は、プロジェクター１０に配置された操作ボタン（図示略）や、操作信号を無線により送信するリモコン（図示略）を想定し、ユーザーによる操作指示を受け付ける。また、表示部１１１は、プロジェクター１０に配置された液晶パネル（図示略）を想定し、種々のメッセージを表示する。また、電源部１１２は、プロジェクター１０を駆動させるための電源を供給する。
【００２７】
投写装置１５０は、光源部１５４、光変調装置１５６および投写光学系１５８を備え、光学的な画像の形成を行う。
光源部１５４は、キセノンランプ、超高圧水銀ランプ、ＬＥＤ（Ｌｉｇｈｔ  Ｅｍｉｔｔｉｎｇ  Ｄｉｏｄｅ）、レーザー光源等の高輝度な光源を備えている。また、光源部１５４は、光源が発光する光を光変調装置１５６に導くリフレクター及び補助リフレクターや、光源の光を光変調装置１５６に至る経路上で減光させる調光素子（図示略）等を備えてもよい。また、光源部１５４には、光源駆動部１１４が接続されている。光源駆動部１１４は、光源駆動制御部１３８の制御に従って、光源部１５４への電力供給を制御し、光源部１５４の光源を点灯および消灯させる。
【００２８】
光変調装置１５６は、後述する画像処理系からの信号を受けて、光源部１５４から射出される光束を変調して画像光を生成する。光変調装置１５６の具体的な構成としては、例えば、ＲＧＢの各色に対応した３枚の透過型または反射型の液晶パネル（図示略）を用いた方式が挙げられる。この場合、光変調装置１５６には、光源部１５４が発した光がダイクロイックミラー等によりＲ（赤）、Ｇ（緑）、Ｂ（青）の各色光に分離されて入射し、光変調装置１５６が備える各色の液晶パネルによって各色光が変調され、その後、クロスダイクロイックプリズムにより各色光が合成されて、投写光学系１５８に導かれる。本実施形態では、光変調装置１５６が透過型液晶パネルを備えた構成とする。光変調装置１５６は光変調装置駆動部１５２によって駆動され、マトリックス状に配置された各画素における光の透過率を変化させることにより、画像光を生成する。尚、光変調装置１５６は、液晶パネルを用いた方式には限定されず、ＤＬＰ（Ｄｉｇｉｔａｌ  Ｌｉｇｈｔ  Ｐｒｏｃｅｓｓｉｎｇ）方式やＬＣＯＳ（Ｌｉｑｕｉｄ  Ｃｒｙｓｔａｌ  Ｏｎ  Ｓｃｒｅｅｎ）方式等の他の方式も想定できる。尚、光変調装置１５６は変調部に相当する。
【００２９】
投写光学系１５８は、光変調装置１５６により変調された画像光を光学的に拡大してスクリーンＳＣに投写する機能を備えている。本実施形態では、投写光学系１５８は、複数のレンズからなるレンズ群により構成される。これらのレンズの位置を調整することにより、スクリーンＳＣ上の投写画像のフォーカス調整および投写画像の拡大・縮小を調整するズーム調整が可能である。尚、投写光学系１５８は投写部に相当する。
【００３０】
次に、プロジェクター１０の画像処理系について説明する。
画像入力部１０２は、何れも図示を略した、パーソナルコンピューターや各種画像プレーヤー等の外部の画像供給装置、並びに、フラッシュメモリー等のメモリーカードからコンテンツ画像等の入力画像の画像データを受け付ける。画像データは、動画像（映像）のデータであっても良く、また、静止画像のデータであっても良い。尚、画像入力部１０２は入力部に相当する。
本実施形態では、画像入力部１０２は、例えば、デジタル映像信号が入力されるＤＶＩ（Ｄｉｇｉｔａｌ  Ｖｉｓｕａｌ  Ｉｎｔｅｒｆａｃｅ）インターフェイス、ＵＳＢインターフェイス及びＬＡＮインターフェイスや、ＨＤＭＩ（登録商標）規格に準拠したＨＤＭＩコネクター等、ＶＥＳＡ（Ｖｉｄｅｏ  Ｅｌｅｃｔｒｏｎｉｃｓ  Ｓｔａｎｄａｒｄｓ  Ａｓｓｏｃｉａｔｉｏｎ）が策定したＤｉｓｐｌａｙＰｏｒｔ（商標）規格に準拠したコネクター等を有するインターフェイスを想定する。尚、画像入力部１０２が受け付けた画像データは、必要に応じてスケーリング処理が施された後、画像処理部１０４に送られる。
また、画像入力部１０２に入力されるデジタル映像信号等の画像信号の情報は、画像信号検出部１０８に送られる。
【００３１】
画像処理部１０４は、画像処理制御部１３２の制御に従って、画像入力部１０２が出力した画像データを取得して、画像データについて、画像サイズや解像度、静止画像か動画像であるか、動画像である場合はフレームレート等の属性などを判定する。そして、画像処理部１０４は、フレーム毎にフレームメモリー（図示略）に画像を展開し、フレームメモリーに展開したフレーム毎の画像データをＯＳＤ処理部１０６に出力する。
ＯＳＤ処理部１０６は、ＯＳＤ処理制御部１３４がＯＳＤ表示を指示した場合、ＯＳＤ画像を生成し、生成したＯＳＤ画像と、フレーム毎の画像と、を合成した合成画像を示す合成画像データを生成する。更に、ＯＳＤ処理部１０６は、生成した合成画像データを画像信号として光変調装置駆動部１５２に出力する。また、ＯＳＤ処理制御部１３４がＯＳＤ表示を指示しない場合、ＯＳＤ処理部１０６は、フレーム毎の画像データを画像信号として光変調装置駆動部１５２に出力する。尚、ＯＳＤ処理制御部１３４は、操作部１１０で指示されるＯＳＤ表示設定に基づいて、ＯＳＤ画面の表示を指示する。
光変調装置駆動部１５２は光変調制御部１３６の制御に従って駆動し、ＯＳＤ処理部１０６から送られるフレーム毎の画像信号に基づいて、光変調装置１５６を駆動させることにより画像光を生成させる。
【００３２】
＜オートパワーオンモード設定時の制御動作＞
図２はオートパワーオンモード設定時における制御部１３０の動作タイミングを説明する図である。図２の横方向は、時間経過を示している。
プロジェクター１０にオートパワーオンモードが設定されている場合、プロジェクター１０がスタンバイ状態に移行した後、画像信号検出部１０８は画像入力部１０２への画像データの入力を検知する。
画像データが画像入力部１０２に入力された場合（時刻ｔ１）、画像信号検出部１０８は、画像信号が画像入力部１０２に入力しない状態（第１状態）から、画像信号が画像入力部１０２に入力する状態（第２状態）への遷移を検出し、第１状態から第２状態に遷移した情報を投写設定指示部１４０に通知すると共に、制御部１３０はタイマー１１６による時間計測を開始する。
投写設定指示部１４０は、画像信号検出部１０８から第２状態への遷移通知に基づいて、投写を開始するための投写準備を各機能部に指示する。本実施形態では、投写準備として、プロジェクター１０起動時の初期画像の読み込み、プロジェクター１０の設置状態検出、台形歪補正設定、光源部１５４の初期光量設定、画質調整設定、画素ずれ補正設定および色むら補正設定等を想定する。尚、これらを設定するためのパラメーターは記憶部１２０に予め記憶されている。このような投写準備が画像信号の入力開始時に行われることで、画像の投写が迅速に開始できるようになる。
【００３３】
また、投写設定指示部１４０は、エラー情報管理部１４４が管理する情報に基づいて、画像の投写に関する指示を行う。
光源点灯指示部１４２は、タイマー１１６が所定時間ＴＡを計測した後（時刻ｔ３）、光源部１５４の点灯を指示する。尚、光源点灯指示部１４２は、エラー情報管理部１４４が管理するエラー情報に基づいて、光源部１５４の消灯を指示する。
エラー情報管理部１４４は、タイマー１１６が所定時間ＴＡを計測中に、画像信号検出部１０８が第２状態から第１状態への遷移、即ち、画像信号の入力遮断を検出した場合（時刻ｔ２）、画像信号の入力不良を示すエラー情報１２４を記憶部１２０に記憶する。ここで、画像信号の入力遮断は、プロジェクター１０の故障や、プロジェクター１０と機器との接続不良等によるノイズ信号を画像信号として誤認識することで発生する。
また、エラー情報管理部１４４は、タイマー１１６が所定時間ＴＡを計測中に、エラー情報１２４を記憶部１２０に記憶しなかった場合、即ち、画像信号の入力検出を起点とする所定時間ＴＡに亘って画像信号が途切れることなく連続して入力した場合、エラー無しの情報を投写設定指示部１４０に通知する。投写設定指示部１４０は、この情報を受けて画像の投写開始を制御部１３０に指示する（図中二点鎖線）。
【００３４】
また、エラー情報管理部１４４は、タイマー１１６が所定時間ＴＡを計測後、記憶部１２０にエラー情報１２４が記憶されている場合、画像信号の入力不良を示すエラー情報の表示を制御部１３０に指示する。エラー情報の表示先は、投写によるスクリーンＳＣへの表示を想定するが、更に、表示部１１１に表示しても良い。この場合、表示先はユーザーが予め設定する態様も想定できる。また、エラー情報の表示に加えて、音声による警告や電子メール送信による警告も設定可能な態様も想定できる。
また、記憶部１２０に記憶されたエラー情報１２４は、例えば、ステップＳ２１８（図３）のように明示的に消去されるまで保持されているため、一連の処理の途中でプロジェクター１０の電源が遮断された場合であっても、次回に起動した際にエラー情報が表示される。
【００３５】
また、エラー情報管理部１４４によるエラー情報の表示を起点として（時刻ｔ３）、制御部１３０はタイマー１１６による時間計測を開始する。
エラー情報管理部１４４は、時間計測が開始されてから所定時間ＴＢ（第２所定時間）内にユーザーが確認した操作を行った場合、エラー情報の表示を終了させ、投写設定指示部１４０にユーザーが確認したこと示す情報を通知する。投写設定指示部１４０は、この情報を受けて画像の投写開始を制御部１３０に指示する。
【００３６】
また、エラー情報管理部１４４は、タイマー１１６が所定時間ＴＢを計測した時点において（時刻ｔ４）、ユーザーが確認した操作が行われていない場合、投写設定指示部１４０および光源点灯指示部１４２に対して、ユーザーが未確認であることを示す情報を通知する。
投写設定指示部１４０は、ユーザーが未確認である情報を受け、投写準備を終了する（図中一点鎖線）。また、光源点灯指示部１４２は光源部１５４の消灯を指示する（図中一点鎖線）。更に、制御部１３０はオートパワーモードを無効にしても良い。
図３は、オートパワーオンモードに設定されたプロジェクター１０の制御方法の流れを示すフローチャートである。
プロジェクター１０がスタンバイ状態に移行すると、制御部１３０は画像信号の入力を判定し（ステップＳ２００）＜検出工程＞、画像信号の入力が確認できない場合（ステップＳ２００でＮｏ）、ステップＳ２００を繰り返す。
【００３７】
他方で、画像信号の入力を確認した場合（ステップＳ２００でＹｅｓ）、制御部１３０は経過時間の計測を開始し（ステップＳ２０２）、投写準備を開始する（ステップＳ２０３）＜準備工程＞。
次に、制御部１３０は画像信号の一時的な入力遮断の有無を判定する（ステップＳ２０４）＜判定工程＞。
ここで、制御部１３０が画像信号の入力遮断を検知した場合（ステップＳ２０４でＹｅｓ）、制御部１３０は画像信号の一時的な入力不良を示すエラー情報を記憶し（ステップＳ２０６）、ステップＳ２０８に進む。
他方で、制御部１３０が画像信号の入力遮断を検知しない場合（ステップＳ２０４でＮｏ）、ステップＳ２０８に進む。
【００３８】
ステップＳ２０８では、制御部１３０は、経過時間の計測を開始してから所定時間ＴＡが経過したか、否かを判定し（ステップＳ２０８）、所定時間ＴＡが経過していないと判定した場合（ステップＳ２０８でＮｏ）、ステップＳ２０４に戻る。
他方で、所定時間ＴＡが経過したと判定した場合（ステップＳ２０８でＹｅｓ）、制御部１３０は光源の点灯を指示する（ステップＳ２１０）。
次に、制御部１３０は、エラー情報が記憶されているか、否かを判定し（ステップＳ２１２）、エラー情報が記憶されていないと判定した場合（ステップＳ２１２でＮｏ）、ステップＳ２２０に進む。
他方で、エラー情報が記憶されていると判定した場合（ステップＳ２１２でＹｅｓ）、制御部１３０は、記憶しているエラー情報に基づいて、入力不良情報を表示する（ステップＳ２１４）。尚、表示する入力不良情報には、ユーザーに対して確認を要求する内容を含んでいる。本実施形態では、図５（Ａ）のように、ユーザーに対して受付部であるＯＫボタンの押下を要求する警告メッセージの表示を想定する。
【００３９】
次に、制御部１３０は、表示したエラーに関する情報に対して、所定時間ＴＢ内にユーザーにより確認操作が実行されたか、否かを判定する（ステップＳ２１６）。
ここで、所定時間ＴＢ内にユーザーにより確認操作が実行されないと判定した場合（ステップＳ２１６でＮｏ）、制御部１３０は、オートパワーオンモードをＯＦＦに設定し（ステップＳ２５０）、光源の消灯を指示し（ステップＳ２５２）、処理を終了する。
他方で、所定時間ＴＢ内にユーザーにより確認操作が実行されたと判定した場合（ステップＳ２１６でＹｅｓ）、制御部１３０は、表示しているエラーに関する情報を非表示とし、記憶したエラー情報１２４を消去し（ステップＳ２１８）、ステップＳ２２０に進む。
ステップＳ２２０では、画像投写処理を行った後、処理を終了する。
【００４０】
図４は、本実施形態におけるステップＳ２２０の画像投写処理＜投写開始工程＞の詳細を説明するフローチャートである。尚、画像投写処理は以下に説明する処理には限定されず、画像投写が開始された場合には、画像入力の遮断を検出しない態様も想定できる。
この画像投写処理が開始されると、制御部１３０は、入力画像の画像投写を開始する（ステップＳ２２２）。
次に、制御部１３０は経過時間の計測を開始する（ステップＳ２２４）。
次に、制御部１３０は画像信号の入力遮断の有無を判定する（ステップＳ２２６）。
ここで、制御部１３０が画像信号の入力遮断を検知した場合（ステップＳ２２６でＹｅｓ）、制御部１３０は、入力不良情報（第２エラー情報）を表示する（ステップＳ２３４）。尚、表示する入力不良情報には、ユーザーに対して確認を要求する内容を含んでいる。本実施形態では、図５（Ｂ）のように、ユーザーに対して受付部であるＯＫボタンの押下を要求する警告メッセージの表示を想定する。
【００４１】
次に、制御部１３０は、表示した入力不良に関する情報に対して、所定時間ＴＤ（第４所定時間）内にユーザーにより確認操作が実行されたか、否かを判定する（ステップＳ２３６）。
ここで、所定時間ＴＤ内にユーザーにより確認操作が実行されたと判定した場合（ステップＳ２３６でＹｅｓ）、ステップＳ２３０に進む。
他方で、所定時間ＴＤ内にユーザーにより確認操作が実行されないと判定した場合（ステップＳ２３６でＮｏ）、制御部１３０は、オートパワーオンモードをＯＦＦに設定し（ステップＳ２３８）、光源の消灯を指示し（ステップＳ２４０）、処理を終了する。
また、ステップＳ２２６において、制御部１３０が画像信号の入力遮断を検知しない場合（ステップＳ２２６でＮｏ）、制御部１３０は、経過時間の計測を開始してから所定時間ＴＣ（第３所定時間）が経過したか、否かを判定し（ステップＳ２２８）、所定時間ＴＣが経過していないと判定した場合（ステップＳ２２８でＮｏ）、ステップＳ２２６に戻る。
他方で、所定時間ＴＣが経過したと判定した場合（ステップＳ２２８でＹｅｓ）、ステップＳ２３０に進む。
【００４２】
ステップＳ２３０では、制御部１３０は経過時間の計測を終了し（ステップＳ２３０）、入力画像の投写を継続し（ステップＳ２３３）、処理を終了する。
尚、所定時間ＴＡおよび所定時間ＴＣは、０．１秒から１０秒程度を想定する。また、所定時間ＴＢおよび所定時間ＴＤは３０秒程度を想定する。これらの所定時間ＴＡ，ＴＢ，ＴＣ，ＴＤは、固定値であっても良く、また、ユーザーがメニュー画面から設定できる態様でも良い。
【００４３】
以上述べた実施形態によれば、以下のような効果を奏する。
（１）オートパワーオンモードが設定されているプロジェクター１０は、起動された後、画像信号が入力されたことを検知して投写準備が開始され、入力が開始されて所定時間が経過するまでに画像信号が遮断された場合、画像信号の入力不良情報を表示する。従って、投写を行う場合には迅速に開始できることに加え、プロジェクター１０の故障や、プロジェクター１０との接続不良等によりノイズ信号で投写が開始されてしまう不具合をユーザーに通知できる。
（２）プロジェクター１０は、入力画像の投写が開始された後、所定時間が経過するまでに画像信号が遮断された場合、画像信号の入力不良情報を表示するため、ユーザーに対してプロジェクター１０の故障や、プロジェクター１０との接続不良等による不具合を投写開始時に通知できる。
【００４４】
（３）ユーザーに不具合を通知して所定時間内に確認が得られない場合、オートパワーオンモードを非設定にして光源を消灯するため、光源の点灯と消灯が短時間で繰り返されることによる光源の消耗を回避できる。また、プロジェクター１０の周辺にユーザーが不在で、ノイズ信号により自動点灯された場合であっても、所定の時間後には消灯されるため、誤動作で点灯したプロジェクター１０の温度上昇や電力消費を抑制できる。
【００４５】
本発明の実施形態について、図面を参照して説明したが、具体的な構成は、この実施形態に限られるものではなく、本発明の要旨を逸脱しない範囲の設計変更等も含まれる。例えば、入力不良情報を表示した場合、ユーザーに確認を要求せず、ユーザーに警告のみを行った後、画像投写を継続させる態様や、または、オートパワーオン設定を無効にして光源を消灯させる態様も想定できる。
また、以上のような手法を実施する装置は、単独の装置によって実現される場合もあれば、複数の装置を組み合わせることによって実現される場合もあり、各種の態様を含むものである。
各実施形態における各構成及びそれらの組み合わせは一例であり、本発明の趣旨から逸脱しない範囲内で、構成の付加、省略、置換およびその他の変更が可能である。また、本発明は実施形態により限定されるものではなく、クレームの範囲によってのみ限定される。
【符号の説明】
【００４６】
１０…プロジェクター、１０２…画像入力部、１０４…画像処理部、１０６…ＯＳＤ処理部、１０８…画像信号検出部、１１０…操作部、１１１…表示部、１１２…電源部、１１４…光源駆動部、１１６…タイマー、１２０…記憶部、１２２…投写設定情報、１２４…エラー情報、１３０…制御部、１３２…画像処理制御部、１３４…ＯＳＤ処理制御部、１３６…光変調制御部、１３８…光源駆動制御部、１４０…投写設定指示部、１４２…光源点灯指示部、１４４…エラー情報管理部、１５０…投写装置、１５２…光変調装置駆動部、１５４…光源部、１５６…光変調装置、１５８…投写光学系。
【図１】
2015230428.tif 000003
【図２】
2015230428.tif 000004
【図３】
2015230428.tif 000005
【図４】
2015230428.tif 000006
【図５】
2015230428.tif 000007